(57)【要約】【課題】電子デバイスのための改良された無線回路を提供する。【解決手段】無線回路は、複数のアンテナ及び送受信機回路を含むことができる。電子デバイスの第１の端部のアンテナ構造は、導電性周囲電子デバイス筐体構造の部分から形成された第１のアンテナのための逆Ｆアンテナ共振素子、及びギャップによってアンテナ共振素子から分離されたアンテナ接地を含むことができる。逆Ｆアンテナ共振素子アームは、第１の誘電体充填ギャップに隣接する第１の端部、及び第２の誘電体充填ギャップに隣接する反対側の第２の端部を有することができる。第２のアンテナは、追加のアンテナ共振素子アーム及びアンテナ接地を含むことができる。追加のアンテナ共振素子アームの第２の端部は、第１の誘電体充填ギャップと追加のアンテナ共振素子アームの第１の端部の間に介在されてもよい。【選択図】図１
2019050562.tif 000002
【特許請求の範囲】
【請求項１】
第１及び第２の誘電体充填ギャップを有する導電性周囲構造を有する筐体と、
第１のアンテナ用の第１のアンテナ共振素子アームであって、前記第１の誘電体充填ギャップに第１の端部及び前記第２の誘電体充填ギャップに、対向する第２の端部を有する、第１のアンテナ共振素子アームと、
第２のアンテナ用の第２のアンテナ共振素子アームであって、正のアンテナフィード端子に接続された第１の端部及び前記第１の端部に対向する第２の端部を有し、前記第２のアンテナ共振素子アームの前記第２の端部は、前記第１の誘電体充填ギャップと前記第２のアンテナ共振素子アームの前記第１の端部の間に介在する、第２のアンテナ共振素子アームと、を備える電子デバイス。
【請求項２】
前記正のアンテナフィード端子と前記第２のアンテナ共振素子の前記第２の端部の間に介在された前記第２のアンテナ用の第３のアンテナ共振素子アームであって、前記第２のアンテナ共振素子アームは、第１の周波数帯域の無線周波数信号を搬送するように構成されており、前記第３のアンテナ共振素子アームは、前記第１の周波数帯域よりも高い第２の周波数帯域の無線周波数信号を搬送するように構成された、第３のアンテナ共振素子アームを更に備える、請求項１に記載の電子デバイス。
【請求項３】
前記第１の周波数帯域は２４００ＭＨｚ〜２５００ＭＨｚの周波数を含み、前記第２の周波数帯域は５１５０ＭＨｚ〜５８５０ＭＨｚの周波数を含む、請求項２に記載の電子デバイス。
【請求項４】
アンテナ接地と、
前記第２のアンテナ共振素子アームと前記アンテナ接地の間に結合された前記第２のアンテナのリターン経路と、を更に備える、請求項１に記載の電子デバイス。
【請求項５】
前記第２のアンテナ共振素子アームと前記アンテナ接地の間の前記リターン経路に介在されたキャパシタを更に備える、請求項４に記載の電子デバイス。
【請求項６】
前記アンテナ接地は、前記第２のアンテナ共振素子アームの第１の側部に沿って延びる第１の縁部と、前記第２のアンテナ共振素子アームの第２の側部に沿って延びる第２の縁部と、を有する、請求項４に記載の電子デバイス。
【請求項７】
ディスプレイを更に備え、前記アンテナ接地は前記ディスプレイの導電性部分を含む、請求項４に記載の電子デバイス。
【請求項８】
前記第１のアンテナ共振素子アームに結合された追加の正のアンテナフィード端子と、
前記第１のアンテナ共振素子アーム上の所与の位置と前記アンテナ接地の間に結合された調整可能な構成要素であって、前記所与の位置は前記追加の正のアンテナフィード端子と前記第１の誘電体充填ギャップの間に介在された、調整可能な構成要素と、を更に備える、請求項４に記載の電子デバイス。
【請求項９】
無線周波数シールドと、
前記無線周波数シールドの下の誘電体基板であって、前記第２のアンテナ共振素子アームは、前記誘電体基板上の金属トレースから形成された、誘電体基板と、を更に備える、請求項８に記載の電子デバイス。
【請求項１０】
前記無線周波数シールドは、前記アンテナ接地の部分を形成し、前記調整可能な構成要素は、前記第１のアンテナ共振素子アーム上の前記所与の位置と前記無線周波数シールドの間に結合される、請求項９に記載の電子デバイス。
【請求項１１】
前記調整可能な構成要素は、前記所定の位置と前記アンテナ接地の間のスイッチング回路と直列に結合された少なくとも１つのインダクタを含む、請求項８に記載の電子デバイス。
【請求項１２】
アンテナ接地と、
対向する第１及び第２の端部を有する第１のアンテナ共振素子アームと、前記アンテナ接地と、前記第１のアンテナ共振素子アームに結合された第１のアンテナフィード端子と、前記アンテナ接地に結合された第２のアンテナフィード端子と、を含む第１のアンテナであって、前記第１のアンテナは第１の周波数帯域の無線周波数信号を搬送するように構成された、第１のアンテナと、
対向する第１及び第２の端部を有する第２のアンテナ共振素子アームと、前記アンテナ接地と、前記第２のアンテナ共振素子アームの前記第１の端部に結合された第３のアンテナフィード端子と、前記アンテナ接地に結合された第４のアンテナフィード端子と、を含む第２のアンテナであって、前記第２のアンテナは第２の周波数帯域の無線周波数信号を搬送するように構成されており、前記第２のアンテナ共振素子アームの前記第２の端部は、前記第３のアンテナフィード端子と前記第１のアンテナ共振素子アームの前記第１の端部の間に介在された、第２のアンテナと、を備える電子デバイス。
【請求項１３】
導電性周囲筐体構造と、
前記導電性周囲筐体構造の第１の誘電体充填ギャップと、
前記導電性周囲筐体構造の第２の誘電体充填ギャップであって、前記第１のアンテナ共振素子アームは、前記第１の誘電体充填ギャップと前記第２の誘電体充填ギャップの間に延びる前記導電性周囲筐体構造のセグメントから形成され、前記第１のアンテナ共振素子アームの前記第１の端部は前記第１の誘電体充填ギャップによって画定される、第２の誘電体充填ギャップと、を更に備える、請求項１２に記載の電子デバイス。
【請求項１４】
前記第１のアンテナ共振素子アームと前記アンテナ接地の間に結合された調整可能な構成要素であって、前記第１のアンテナフィード端子と前記第１の誘電体充填ギャップの間に介在された調整可能な構成要素、を更に備える、請求項１３に記載の電子デバイス。
【請求項１５】
前記第２のアンテナ共振素子アームと前記アンテナ接地の間に結合されたキャパシタを更に備える、請求項１４に記載の電子デバイス。
【請求項１６】
導電性周囲構造及び前記導電性周囲構造の第１のセグメントと第２のセグメントの間に延びる平面導電性層を有する筐体と、
前記導電性周囲構造の第３のセグメントから前記第１のセグメントを分離する、前記導電性周囲構造の第１の誘電体充填ギャップと、
前記第３のセグメントから前記第２のセグメントを分離する、前記導電性周囲構造の第２の誘電体充填ギャップと、
前記導電性周囲構造の少なくとも前記第３のセグメントから形成された、第１のアンテナ共振素子と、
少なくとも前記導電性周囲構造の前記平面導電性層並びに前記第１及び第２のセグメントから形成されたアンテナ接地と、
前記導電性周囲構造の前記第３のセグメントと前記アンテナ接地の間に結合された調整可能な構成要素と、
誘電体基板と、
第２のアンテナ共振素子を形成する前記誘電体基板上の金属トレースであって、前記第２のアンテナ共振素子の第１の端部が前記第１の誘電体充填ギャップと前記第２のアンテナ共振素子の第２の端部の間に介在された、金属トレースと、を備える電子デバイス。
【請求項１７】
ディスプレイパネルと、
前記ディスプレイパネルを支持する導電性ディスプレイフレームであって、前記アンテナ接地の部分を形成する、導電性ディスプレイフレームと、を更に備える、請求項１６に記載の電子デバイス。
【請求項１８】
前記誘電体基板と前記導電性ディスプレイフレームとの間に介在された無線周波数シールドであって、前記アンテナ接地の部分を形成する無線周波数シールドと、
前記無線周波数シールドと前記導電性周囲構造の前記第３のセグメントの間に結合されたフレキシブルプリント回路基板であって、前記調整可能構成要素は、前記フレキシブルプリント回路基板上に形成された、フレキシブルプリント回路基板と、を更に備える、請求項１７に記載の電子デバイス。
【請求項１９】
前記無線周波数シールドと前記導電性ディスプレイフレームの間に介在され、かつ前記無線周波数シールドを前記導電性ディスプレイフレームに電気的に接続する導電性構造、を更に備える、請求項１８に記載の電子デバイス。
【請求項２０】
前記無線周波数シールドを前記平面導電性層に電気的に接続する留め具を更に備える、請求項１９に記載の電子デバイス。
【発明の詳細な説明】
【技術分野】
【０００１】
本出願は、概して電子デバイスに関し、より具体的には、無線通信回路を有する電子デバイスに関する。
【０００２】
（関連出願の相互参照）
本出願は、２０１７年９月１１日に出願された米国特許出願公開第１５／７００，６３６号に対する優先権を主張するものであり、本明細書によりその全体が参照により本明細書に組み込まれる。
【背景技術】
【０００３】
電子デバイスは、無線通信回路を含むことが多い。例えば、セルラー電話、コンピュータ、及び他のデバイスは、無線通信をサポートするためのアンテナ及び無線送受信機を含むことが多い。
【０００４】
所望の特性を有する電子デバイスのアンテナ構造を形成することは、困難なことがある。いくつかの無線デバイスでは、アンテナがかさばる。他のデバイスでは、アンテナはコンパクトであるが、外部物体に対するアンテナの位置に敏感である。注意を払わなければ、アンテナは離調されることがあり、所望よりも大きいか若しくは小さい電力を有する無線信号を発することがあり、又は他の方法で予想されるとおりに機能しないことがある。
【０００５】
したがって、電子デバイスのための改良された無線回路を提供できることが望ましいであろう。
【発明の概要】
【０００６】
電子デバイスは、無線回路及び制御回路を備えることができる。無線回路は、複数のアンテナ及び送受信機回路を含むことができる。アンテナは、電子デバイスの反対側の第１及び第２の端部にアンテナ構造を含むことができる。デバイスの所与の端部のアンテナ構造は、複数のアンテナ、並びに制御回路によって調整されて、アンテナ構造及び電子デバイスを多数の異なる動作モード又は状態のうちの１つに配置する調整可能な構成要素を含むことができる。
【０００７】
電子デバイスの第１の端部のアンテナ構造は、導電性周囲電子デバイス筐体構造の部分から形成された第１のアンテナ用の逆Ｆアンテナ共振素子、及びギャップによってアンテナ共振素子から分離されたアンテナ接地を含むことができる。短絡経路がギャップを橋渡しすることができる。アンテナフィードは、短絡経路と並列してギャップを横切って結合されてもよい。逆Ｆアンテナ共振素子アームは、第１の誘電体充填ギャップに隣接する第１の端部及び、第２の誘電体充填ギャップに隣接する反対側の第２の端部を有することができる。
【０００８】
電子デバイスの第１の端部のアンテナ構造は、誘電体基板上のトレースから形成された第２のアンテナ用の追加のアンテナ共振素子を含むことができる。追加のアンテナ共振素子アームは、正のアンテナフィード端子に結合された第１の端部、及び第１の端部の反対側の第２の端部を有することができる。追加のアンテナ共振素子アームの第２の端部は、第１の誘電体充填ギャップと追加のアンテナ共振素子アームの第１の端部の間に介在されてもよい。
【０００９】
このように構成された場合、追加のアンテナ共振素子アームの第２の端部は、第２のアンテナの正のアンテナフィード端子と、第１の誘電体充填ギャップの周りの第１のアンテナによって生成された比較的高い大きさの電界の間に介在され得る。追加のアンテナ共振素子アームの第２の端部は、第２のアンテナの他の部分を高い大きさの電界からシールドして、分離を改善することができる。
【図面の簡単な説明】
【００１０】
【図１】一実施形態に係る、例示的な電子デバイスの斜視図である。
【図２】一実施形態に係る、電子デバイスの例示的な回路の模式図である。
【図３】一実施形態に係る、例示的な無線通信回路の概略図である。
【図４】一実施形態に係る、例示的な逆Ｆアンテナの概略図である。
【図５】一実施形態に係る、電子デバイスの例示的なアンテナ構造の上面図である。
【図６】一実施形態に係る、隣接するアンテナと比較的強い結合を有する例示的なアンテナの上面図である。
【図７】一実施形態に係る、隣接するアンテナからの比較的強い分離を有する例示的なアンテナの上面図である。
【図８】一実施形態に係る、図５及び図７に示されるタイプの例示的なアンテナ構造の断面側面図である。
【図９】一実施形態に係る、電子デバイスの例示的な部分がどのように接地され得るかを示す概略図である。
【図１０】一実施形態に係る、周波数の関数としての図５〜図９に示されるタイプの例示的なアンテナ間のアンテナ性能（アンテナ分離）のグラフである。
【発明を実施するための形態】
【００１１】
図１の電子デバイス１０などの電子デバイスは、無線通信回路を設けられてもよい。無線通信回路は、複数の無線通信帯域における無線通信をサポートするために使用され得る。
【００１２】
無線通信回路は、もう１つのアンテナを含むことができる。無線通信回路のアンテナは、ループアンテナ、逆Ｆアンテナ、ストリップアンテナ、平面逆Ｆアンテナ、スロットアンテナ、２つ以上のタイプのアンテナ構造を含むハイブリッドアンテナ、又は他の適切なアンテナを含むことができる。アンテナ用の導電性構造は、所望であれば、導電性電子デバイス構造から形成され得る。
【００１３】
導電性電子デバイス構造は、導電性筐体構造を含むことができる。筐体構造は、電子デバイスの周囲を囲む導電性周囲構造などの周囲構造を含むことができる。導電性周囲構造は、ディスプレイなどの平面構造のベゼルとして機能することができ、デバイス筐体用の側壁構造として機能することができ、一体の後部平面筐体から上方に延びる部分を（例えば、垂直な平面側壁又は湾曲した側壁を形成するために）有することができ、かつ／又は他の筐体構造を形成することができる。
【００１４】
導電性周囲構造にギャップを形成して、導電性周囲構造を周囲セグメントに分割することができる。１つ以上のセグメントが、電子デバイス１０用の１つ以上のアンテナを形成するのに使用されてもよい。アンテナは、導電性筐体構造（例えば、内部及び／又は外部構造、支持プレート構造、など）から形成されるアンテナ接地板及び／又はアンテナ共振素子を使用しても形成され得る。
【００１５】
電子デバイス１０は、ポータブル電子デバイス又は他の適切な電子デバイスであってもよい。例えば、電子デバイス１０は、ラップトップコンピュータ、タブレットコンピュータ、腕時計デバイスなどの幾分小さなデバイス、ペンダントデバイス、ヘッドフォンデバイス、イヤピースデバイス、又は他のウェアラブル若しくはミニチュアデバイス、セルラー電話などのハンドヘルドデバイス、メディアプレーヤ、又は他の小型ポータブルデバイスであってもよい。デバイス１０は、セットトップボックス、デスクトップコンピュータ、コンピュータ又は他の処理回路が一体化されたディスプレイ、一体化されたコンピュータのないディスプレイ、又は他の適切な電子機器でもあることができる。
【００１６】
デバイス１０は、筐体１２などの筐体を含むことができる。ケースと呼ばれることもある筐体１２は、プラスチック、ガラス、セラミック、繊維複合材、金属（例えば、ステンレス鋼、アルミニウム、など）、他の好適な材料、又はこれらの材料の組み合わせから形成され得る。いくつかの状況では、筐体１２の一部は、誘電体又は他の低導電性材料（例えば、ガラス、セラミック、プラスチック、サファイア、など）から形成され得る。他の状況では筐体１２、又は筐体１２を構成する構造の少なくとも一部は、金属素子から形成され得る。
【００１７】
所望であれば、デバイス１０はディスプレイ１４などのディスプレイを有することができる。ディスプレイ１４はデバイス１０の前面に搭載され得る。ディスプレイ１４は、静電容量式タッチ電極を組み込んだタッチスクリーンであってもよく、又はタッチ非感知であってもよい。筐体１２の後面（すなわち、デバイス１０前面の反対側のデバイス１０の面）は、平面筐体壁を有することができる。後部筐体壁は、後部筐体壁を完全に貫通するスロットを有することができ、したがって筐体１２の筐体壁部分（及び／又は側壁部分）を互いに分離することができる。後部筐体壁は、導電性部分及び／又は誘電部分を含むことができる。所望であれば、後部筐体壁は、薄い層で覆われた平面金属層、又はガラス、プラスチック、サファイア若しくはセラミックなどの誘電体のコーティングを含むことができる。筐体１２（例えば、後部筐体壁、側壁など）は、筐体１２を完全に貫通しない浅い溝も有することができる。スロット及び溝は、プラスチック又は他の誘電体で充填され得る。所望であれば、（例えば、全体を通るスロットによって）互いに分離された筐体１２の部分は、内部導電性構造（例えば、スロットを橋渡しする金属薄板又は他の金属部材）によって接合されてもよい。
【００１８】
ディスプレイ１４は、発光ダイオード）（ＬＥＤ）、有機ＬＥＤ（ＯＬＥＤ）、プラズマセル、エレクトロウェッティング画素、電気泳動画素、液晶ディスプレイ（ＬＣＤ）構成要素、又は他の適切な画素構造から形成された画素を含むことができる。透明なガラス又はプラスチックの層などのディスプレイカバー層は、ディスプレイ１４の表面を覆ってもよく、又はディスプレイ１４の最外層は、カラーフィルタ層、薄膜トランジスタ層、又は他のディスプレイ層から形成されてもよい。所望であれば、ボタン２４などのボタンが、カバー層の開口部を貫通することができる。カバー層は、スピーカポート２６用の開口部などの他の開口部も有することができる。
【００１９】
筐体１２は、構造１６などの周囲筐体構造を含んでもよい。構造１６は、デバイス１０及びディスプレイ１４の首位を囲むことができる。デバイス１０及びディスプレイ１４が４つの縁部を有する矩形形状を有する構成では、構造１６は、４つの対応する縁部（一例として）を有する長方形リング形状を有する周囲筐体構造を使用して実装され得る。周囲構造１６又は周囲構造１６の一部は、ディスプレイ１４のベゼル（例えば、ディスプレイ１４の４つの側部全てを囲み、及び／又はディスプレイ１４をデバイス１０に保持するのに役立つ装飾用トリム）として機能することができる。所望であれば、周囲構造１６は、（例えば、垂直側壁、湾曲側壁、などを有する金属バンドを形成することにより）デバイス１０の側壁構造も形成することができる。
【００２０】
周囲筐体構造１６は、金属などの導電性材料から形成されてもよく、したがって、時には、導電性周囲筐体構造、導電性筐体構造、周囲金属構造、又は導電性周囲筐体部材（例として）と呼ばれ得る。周囲筐体構造１６は、ステンレス鋼、アルミニウムなどの金属、又は他の適切な材料から形成されてもよい。周囲筐体構造１６の形成においては、１つ、２つ、又は２つを超える別個の構造を使用してもよい。
【００２１】
周囲筐体構造１６は、均一な断面を有する必要はない。例えば、所望であれば、周囲筐体構造１６の上部部分が、ディスプレイ１４を適所に保持するのに役立つ内向きに突出したリップを有してもよい。周囲筐体構造１６の下部部分も、拡大されたリップを（例えば、デバイス１０の後面の平面内に）有してもよい。周囲筐体構造１６は、実質的に直状の垂直側壁を有してもよく、湾曲した側壁を有してもよく、又は他の適切な形状を有してもよい。いくつかの構成（例えば、周囲筐体構造１６がディスプレイ１４のベゼルとして機能する場合）においては、周囲筐体構造１６が筐体１２のリップの周りに延びてもよい（すなわち、周囲筐体構造１６は、筐体１２のディスプレイ１４を囲む縁部のみを覆い、筐体１２の側壁の他の部分は覆わなくてもよい）。
【００２２】
所望であれば、筐体１２は導電性後面又は後壁を有してもよい。例えば、筐体１２は、ステンレス鋼又はアルミニウムなどの金属から形成されてもよい。筐体１２の後面は、ディスプレイ１４に対して平行な平面内にあり得る。筐体１２の後面が金属から形成されているデバイス１０の構成では、導電性周囲筐体構造１６の部分を、筐体１２の後面を形成する筐体構造の一体的部分として形成することが望ましい可能性がある。例えば、デバイス１０の後部筐体壁は、平面金属構造で形成されてもよく、筐体１２の側部の周囲筐体構造１６の部分は、平面金属構造の平坦な又は湾曲した垂直に延びる一体の金属部分として形成されてもよい。このような筐体構造は、所望であれば、金属のブロックから機械加工されてもよく、及び／又は一緒に組み立てられて筐体１２を形成する複数の金属片を含んでもよい。筐体１２の平面後壁は、１つ以上、２つ以上、又は３つ以上の部分を有してもよい。導電性周囲筐体構造１６及び／若しくは筐体１２の導電性後壁は、デバイス１０の１つ以上の外面（例えば、デバイス１０のユーザに見える表面）を形成してもよく、並びに／又はデバイス１０の外面を形成しない内部構造（例えば、例えば、デバイス１０の外面を形成し、及び／又はユーザの視野から構造１６を隠すのに役立つガラス、セラミック、プラスチック、又は他の構造などの誘電材料を含み得る、薄い装飾層、保護コーティング、及び／又は他のコーティング層などの層で覆われた導電性構造などの、デバイス１０のユーザには見えない導電性筐体構造）を用いて実装されてもよい。
【００２３】
ディスプレイ１４は、デバイス１０のユーザに画像を表示するアクティブエリアＡＡを形成するピクセルのアレイを有することができる。非アクティブエリアＩＡなどの非アクティブ境界領域は、アクティブエリアＡＡの１つ以上の周縁部に沿って延びてもよい。
【００２４】
ディスプレイ１４は、タッチセンサ用の容量性電極のアレイ、画素をアドレス指定するための導電性ライン、駆動回路、などの導電性構造を含むことができる。筐体１２は、筐体１２の壁（すなわち、部材１６の反対側の側部の間に溶接されるか、又は他の方法で接続された１つ以上の金属部品から形成された実質的に矩形のシート）に広がる、金属フレーム部材及び平面導電性筐体部材（バックプレートと呼ばれることもある）などの内部導電性構造を含むことができる。バックプレートは、デバイス１０の外部後面を形成してもよく、又はガラス、セラミック、プラスチック、若しくはガラスなどの誘電体材料を含み得る薄い装飾層、保護コーティング、及び／若しくは他のコーティングなどの層、又はデバイス１０の外面を形成し、バックプレートをユーザの視界から隠すのに役立つ他の構造によって覆われてもよい。デバイス１０は、プリント回路基板、プリント回路基板上に取り付けられた構成要素、及び他の内部導電性構造などの導電性構造も含むことができる。デバイス１０内で接地板を形成する際に使用され得るこれらの導電性構造は、例えば、ディスプレイ１４のアクティブエリアＡＡの下に延びることができる。
【００２５】
領域２２及び２０において、開口部が、デバイス１０の導電性構造内（例えば、導電性周囲筐体構造１６と、筐体１２の導電性部分、プリント回路基板上の導電性トレース、ディスプレイ１４内の導電性電気構成要素、などの反対側の導電性接地構造の間）に形成されてもよい。ギャップと呼ばれることがあり得るこれらの開口部は、空気、プラスチック、及び／又は他の誘電体で満たされてもよく、所望であれば、デバイス１０内の１つ以上のアンテナのスロットアンテナ共振素子の形成に使用されてもよい。
【００２６】
デバイス１０内の導電性筐体構造及び他の導電性構造は、デバイス１０内のアンテナのための接地板として機能することができる。領域２０及び２２内の開口部は、オープン又はクローズドスロットアンテナ内のスロットとして機能することができ、ループアンテナ内の材料の導電性経路によって囲まれた中央誘電領域として機能することができ、ストリップアンテナ共振素子又は逆Ｆアンテナ共振素子などのアンテナ共振素子を接地板から分離するスペースとして機能することができ、寄生アンテナ共振素子の性能に寄与することができ、又は領域２０及び２２内に形成されたアンテナ構造の一部として他の方法で機能することができる。所望であれば、ディスプレイ１４のアクティブエリアＡＡ及び／又はデバイス１０内の他の金属構造の下にある接地板は、デバイス１０の端部の一部に延びる部分を有してもよく（例えば、接地が領域２０及び２２内の誘電体充填開口部に向かって延びてもよい）、したがって領域２０及び２２内のスロットを狭める。
【００２７】
一般に、デバイス１０は、任意の適切な数のアンテナ（例えば、１つ以上、２つ以上、３つ以上、４つ以上、など）を含むことができる。デバイス１０内のアンテナは、細長いデバイス筐体の反対側にある第１及び第２の端部に（例えば、図１のデバイス１０の端部２０及び２２に）、デバイス筐体の１つ以上の縁部に沿って、デバイス筐体の中心に、他の好適な場所に、又はこれらの場所の１つ以上に、配置され得る。図１の構成は、単なる例示である。
【００２８】
周囲筐体構造１６の部分には周囲ギャップ構造を設けることができる。例えば、導電性周囲筐体構造１６には、図１に示すギャップ１８などの１つ以上の周囲ギャップを設けることができる。周囲筐体構造１６のギャップは、ポリマー、セラミック、ガラス、空気、他の誘電材料、はこれらの材料の組み合わせなどの誘電体で充填され得る。ギャップ１８は、周囲筐体構造１６を１つ以上の導電性周囲セグメントに分割することができる。例えば、周囲筐体構造１６内に２つの導電性周囲セグメント（例えば、２つのギャップ１８を有する構成において）、３つの導電性周囲セグメント（例えば、３つのギャップ１８を有する構成において）、４つの導電性周囲セグメント（例えば、４つのギャップ１８を有する構成において、など）があってもよい。このようにして形成された導電性周囲筐体構造１６のセグメントは、デバイス１０内でアンテナの位置部を形成することができる。
【００２９】
所望であれば、筐体１２を部分的に又は完全に貫通して延びる溝などの筐体１２内の開口部は、筐体１２の後壁の幅を横切って延び、筐体１２の後壁を貫通して、後壁を異なる部分に分割することができる。これらの溝は、周囲筐体構造１６内に延びることもでき、デバイス１８内にアンテナスロット、及びデバイス１０内に他の構造を形成することができる。ポリマー又は他の誘電体が、これらの溝及び他の筐体開口部を充填することができる。いくつかの状況では、アンテナスロット及び他の構造を形成する筐体開口部は、空気などの誘電体を充填されてもよい。
【００３０】
典型的なシナリオでは、デバイス１０は１つ以上の上部アンテナ及び１つ以上の下部アンテナを有することができる（例として）。上部アンテナは、例えば、領域２２内においてデバイス１０の上端に形成することができる。下部アンテナは、例えば、領域２０内においてデバイス１０の下端に形成することができる。これらのアンテナは、同一の通信帯域、重なり合う通信帯域、又は別個の通信帯域をカバーするために別々に使用され得る。これらのアンテナは、アンテナダイバーシティ方式又は多重入力多重出力（ＭＩＭＯ）アンテナ方式を実施するために使用され得る。
【００３１】
デバイス１０のアンテナは、対象とする任意の通信帯域をサポートするのに使用され得る。例えば、デバイス１０は、ローカルエリアネットワーク通信、音声及びデータ用セルラー電話通信、全地球測位システム（ＧＰＳ）通信又は他の衛星航法システム通信、Ｂｌｕｅｔｏｏｔｈ（登録商標）通信、などをサポートするためのアンテナ構造を含むことができる。
【００３２】
図１のデバイス１０内で使用され得る例示的構成要素を示す概略図を、図２に示す。図２に示すように、デバイス１０は、記憶装置及び処理回路２８などの制御回路を含むことができる。記憶装置及び処理回路２８は、ハードディスクドライブ記憶装置、不揮発性メモリ（例えば、フラッシュメモリ、又はソリッドステートドライブを形成するように構成された他の電気的にプログラム可能な読み出し専用メモリ）、揮発性メモリ（例えば、静的又は動的ランダムアクセスメモリ）などの、記憶装置を含み得る。記憶装置及び処理回路２８内の処理回路は、デバイス１０の動作を制御するために使用され得る。この処理回路は、１つ以上のマイクロプロセッサ、マイクロコントローラ、デジタル信号プロセッサ、特定用途向け集積回路などに基づくものであってもよい。
【００３３】
記憶装置及び処理回路２８は、インターネットブラウジングアプリケーション、ボイスオーバーインターネットプロトコル（ＶＯＩＰ）電話通話アプリケーション、電子メールアプリケーション、メディア再生アプリケーション、オペレーティングシステム機能などのソフトウェアを、デバイス１０上で実行するために使用され得る。外部機器との相互作用をサポートするために、通信プロトコルを実装する際、記憶装置及び処理回路２８を使用することができる。記憶装置及び処理回路２８を使用して実装され得る通信プロトコルとしては、インターネットプロトコル、無線ローカルエリアネットワークプロトコル（例えば、ＷｉＦｉ（登録商標）と称されることがあるＩＥＥＥ８０２．１１プロトコル）、Ｂｌｕｅｔｏｏｔｈ（登録商標）プロトコルなどの他の近距離無線通信リンク用のプロトコル、セルラー電話プロトコル、多重入力多重出力（ＭＩＭＯ）プロトコル、アンテナダイバーシティプロトコル、などが挙げられる。
【００３４】
入出力回路３０は、入出力デバイス３２を含むことができる。入出力デバイス３２を使用して、デバイス１０にデータを供給することを可能にし、デバイス１０から外部デバイスにデータを提供することを可能にすることができる。入出力デバイス３２は、ユーザインターフェースデバイス、データポートデバイス、及び他の入出力構成要素を含み得る。例えば、入出力デバイス３２は、タッチスクリーン、タッチセンサ機能のないディスプレイ、ボタン、ジョイスティック、スクロールホイール、タッチパッド、キーパッド、キーボード、マイクロフォン、カメラ、ボタン、スピーカ、ステータスインジケータ、光源、オーディオジャック及び他のオーディオポート構成要素、デジタルデータポートデバイス、光センサ、位置及び向きセンサ（例えば、加速度計、ジャイロスコープ、及びコンパスなどのセンサ）、キャパシタンスセンサ、近接センサ（例えば、容量性近接センサ、光ベース近接センサ、など）、指紋センサ（例えば、図１のボタン２４のようなボタンと一体化された指紋センサ、又はボタン２４に代わる指紋センサ）などを含むことができる。
【００３５】
入出力回路３０は、外部機器と無線で通信するための無線通信回路３４を含むことができる。無線通信回路３４は、１つ以上の集積回路から形成される無線周波数（ＲＦ）送受信回路、電力増幅器回路、低雑音入力増幅器、受動ＲＦ構成要素、１つ以上のアンテナ、送信ライン、及びＲＦ無線信号を取り扱うための他の回路を含むことができる。無線信号は、光を使用して（例えば、赤外線通信を使用して）も送信され得る。
【００３６】
無線通信回路３４は、様々な無線周波数通信帯域を扱うための無線周波数送受信機回路９０を含むことができる。例えば、回路３４は、送受信機回路３６、３８、及び４２を含むことができる。送受信機回路３６は、ＷｉＦｉ（登録商標）（ＩＥＥＥ８０２．１１）通信用の２．４ＧＨｚ及び５ＧＨｚの帯域を処理することができ、かつ２．４ＧＨｚのＢｌｕｅｔｏｏｔｈ（登録商標）通信帯域を処理することができる。回路３４は、７００〜９６０ＭＨｚの低通信帯域、９６０〜１７１０ＭＨｚの低中帯域、１７１０〜２１７０ＭＨｚの中帯域、２３００〜２７００ＭＨｚの高帯域、３４００〜３７００ＭＨｚの超高帯域、又は６００ＭＨｚ〜４０００ＭＨｚの他の通信帯域、又は他の適切な周波数（例として）、などの周波数範囲で無線通信を取り扱うための、セルラー電話送受信機回路３８を使用することができる（例として）。
【００３７】
回路３８は、音声データ及び非音声データを取り扱うことができる。無線通信回路３４は、所望であれば、他の短距離及び長距離無線リンク用の回路を含み得る。例えば、無線通信回路３４は、６０ＧＨｚ送受信回路、テレビ及び無線信号を受信する回路、ページングシステム送受信機、近距離通信（ＮＦＣ）回路などを含むことができる。無線通信回路３４は、１５７５ＭＨｚでＧＰＳ信号を受信するための、又は他の衛星測位データを取り扱うためのＧＰＳ受信機回路４２などの、全地球測位システム（ＧＰＳ）受信機機器を含むことができる。ＷｉＦｉ（登録商標）リンク及びＢｌｕｅｔｏｏｔｈ（登録商標）リンク、並びに他の近距離無線リンクでは、無線信号は、典型的には、数十フィート又は数百フィートにわたってデータを伝達するために使用される。セルラー電話リンク及び他の遠距離リンクでは、無線信号は、典型的には、数千フィート又は数マイルにわたってデータを伝達するために使用される。
【００３８】
無線通信回路３４は、アンテナ４０を含むことができる。アンテナ４０は、任意の適切なアンテナタイプを使用して形成され得る。例えば、アンテナ４０としては、ループアンテナ構造、パッチアンテナ構造、逆Ｆアンテナ構造、スロットアンテナ構造、平板逆Ｆアンテナ構造、ヘリカルアンテナ構造、ダイポールアンテナ構造、モノポールアンテナ構造、これらの設計のハイブリッドなどから形成された共振素子を有するアンテナが挙げられ得る。異なる帯域及び帯域の組み合わせに対して、異なるタイプのアンテナが使用されてもよい。例えば、１つのタイプのアンテナをローカル無線リンクアンテナの形成に使用しもよく、別のタイプのアンテナをリモート無線リンクアンテナの形成に使用してもよい。
【００３９】
図３に示すように、無線回路３４内の送受信機回路９０は、送信ライン経路９２などの経路を使用してアンテナ構造４０に結合され得る。無線回路３４は、制御回路２８に結合されてもよい。制御回路２８は、入出力デバイス３２に結合されてもよい。入出力デバイス３２はデバイス１０からの出力を供給することができ、及びデバイス１０の外部に存在するソースからの入力を受信することができる。
【００４０】
対象の通信周波数をカバーする能力をアンテナ（複数可）４０などのアンテナ構造に提供するために、アンテナ（複数可）４０は、フィルタ回路（例えば、１つ以上のパッシブフィルタ及び／又は１つ以上の同調可能フィルタ回路）などの回路を備えてもよい。キャパシタ、インダクタ、及び抵抗器などの個別構成要素が、このフィルタ回路内に組み込まれてもよい。容量性構造、誘導性構造、及び抵抗性構造も、パターニングされた金属構造（例えば、アンテナの一部）から形成されてもよい。所望であれば、アンテナ４０は、同調可能構成要素１０２などの調節可能な回路を設けられて、対象の通信帯域に対してアンテナを同調させることができる。同調可能構成要素１０２は、同調可能フィルタ又は同調可能インピーダンス整合ネットワークの一部であってもよく、アンテナ共振素子の一部であってもよく、アンテナ共振素子とアンテナ接地の間のギャップにわたってもよい、など。
【００４１】
同調可能構成要素１０２は、同調インダクタ、同調キャパシタ、又は他の同調可能構成要素を含んでもよい。これらのような同調可能構成要素は、固定構成要素のスイッチ及びネットワーク、関連付けられた分布キャパシタンス及びインダクタンスを生じさせる分布金属構造、可変キャパンシタンス及びインダクタンス値を生じさせるための可変ソリッドステートデバイス、同調フィルタ、又は他の好適な同調構造に基づいてもよい。デバイス１０の動作中、制御回路２８は、制御信号を、インダクタンス値、キャパシタンス値、又は、同調可能構成要素１０２に関連付けられた他のパラメータを調整する経路１０３などの１つ以上の経路上で発行し、それによって、アンテナ構造４０を所望の通信帯域をカバーするように同調させることができる。
【００４２】
経路９２は１つ以上の伝送ラインを含んでもよい。一例として、図３の信号経路９２は、ライン９４などの正の信号導体及びライン９６などの接地信号導体を有する伝送ラインであってもよい。線９４及び９６は、（例として）同軸ケーブル、ストリップライン伝送ライン、又はマイクロストリップ伝送ラインの一部を形成してもよい。整合ネットワーク（例えば、同調可能構成要素１０２を使用して形成された調整可能整合ネットワーク）は、アンテナ４０のインピーダンスを伝送ライン９２のインピーダンスに整合させるのに使用されるインダクタ、抵抗器、及びキャパシタなどの構成要素を含むことができる。整合ネットワーク構成要素は、個別構成要素（例えば、表面実装技術構成要素）として設けられてもよく、又は、筐体構造、プリント回路基板構造、プラスチック支持体上のトレースなどから形成されてもよい。これらなどの構成要素は、アンテナ（複数可）４０内のフィルタ回路を形成するのにも使用されてもよく、同調可能及び／又は固定構成要素であってもよい。
【００４３】
伝送ライン９２は、アンテナ構造４０と関連付けられたアンテナフィード構造に結合され得る。一例として、アンテナ構造４０は、端子９８などの正のアンテナフィード端子及び接地アンテナフィード端子１００などの接地アンテナフィード端子を備えるアンテナフィード１１２を有する、逆Ｆアンテナ、スロットアンテナ、ハイブリッド逆Ｆスロットアンテナ、又は他のアンテナを形成することができる。正の伝送ライン導体９４は、正のアンテナフィード端子９８に結合されてもよく、接地伝送ライン導体９６は、接地アンテナフィード端子１００に結合されてもよい。所望であれば、他のタイプのアンテナフィード構成が使用されてもよい。例えば、アンテナ構造４０は、複数のフィードを用いてフィードされてもよい。図３の例示的なフィード構成は、単なる例示である。
【００４４】
制御回路２８は、近接センサ（例えば、図２のセンサ３２を参照）からの情報、受信された信号強度情報などの無線性能メトリックデータ、向きセンサからのデバイス方向き報、加速度計又は他の移動検出センサからのデバイス移動データ、デバイス１０の使用シナリオに関する情報、オーディオがスピーカ２６を介して再生されているか否かに関する情報、１つ以上のアンテナインピーダンスセンサからの情報、及び／又は、アンテナ４０が、近傍の外部物体の存在によって影響を受けているか、若しくは他の方法で同調の必要があるときを決定する際の他の情報、を使用することができる。これに応じて、制御回路２８は、調整可能なインダクタ、調整可能なキャパシタ、スイッチ、又は他の同調可能構成要素４０を調整して、アンテナ構造１０２が所望のとおりに動作することを確実にすることができる。アンテナ構造４０のカバレッジを拡張するために（例えば、アンテナ構造４０がチューニングなしにカバーするよりも広い周波数範囲にわたって広がる所望の通信帯域をカバーするために）構成要素１０２の調整も行うことができる。
【００４５】
ユーザの手などの外部物体の有無は、アンテナ負荷、したがってアンテナ性能に影響を及ぼす可能性がある。アンテナ負荷は、デバイス１０が保持される方法に依存して異なることがある。例えば、アンテナ負荷、したがってアンテナ性能は、ユーザがユーザの右手でデバイス１０を保持しているとき、１つの方法で影響を受けることがあり、ユーザがユーザの左手でデバイス１０を保持しているとき、別の方法で影響を受けることがある。更に、アンテナの負荷及び性能は、ユーザがデバイス１０をユーザの頭部に保持している場合に１つの方法で影響を受け、ユーザがデバイス１０をユーザの頭から離して保持している場合に別の方法で影響を受ける可能性がある。様々な負荷シナリオに対応するために、デバイス１０は、センサデータ、アンテナ測定値、デバイス１０の使用シナリオ若しくは動作状態に関する情報、及び／又は入出力回路３２からの他のデータを使用して、アンテナ負荷の存在（例えば、ユーザの手、ユーザの頭又は別の外部物体の存在）を監視することができる。次いで、デバイス１０（例えば、制御回路２８）は、アンテナ４０内の調整可能な構成要素１０２を調整して、負荷を補償することができる。
【００４６】
アンテナ４０は、スロットアンテナ構造、逆Ｆアンテナ構造（例えば、平面及び非平面逆Ｆアンテナ構造）、ループアンテナ構造、これらの組み合わせ、又は他のアンテナ構造を含むことができる。
【００４７】
例示的な逆Ｆアンテナ構造を図４に示す。図４に示すように、逆Ｆアンテナ構造４０（本明細書ではアンテナ４０又は逆Ｆアンテナ４０と呼ばれることもある）は、アンテナ共振素子１０６などの逆Ｆアンテナ共振素子及びアンテナ接地１０４などのアンテナ接地（接地板）を含むことができる。アンテナ共振素子１０６は、アーム１０８などの主共振素子アームを有することができる。アーム１０８の長さは、アンテナ構造４０が所望の動作周波数で共振するように、選択され得る。例えば、アーム１０８の長さ（又はアーム１０８の分岐）は、アンテナ４０の所望の動作周波数の波長の、４分の１であることができる。アンテナ４０は高周波周波数で共振も示し得る。所望であれば、スロットアンテナ構造又は他のアンテナ構造を図４のアンテナ４０などの逆Ｆアンテナに組み込むことができる（例えば、１つ以上の通信帯域におけるアンテナ応答を向上させるために）。一例として、スロットアンテナ構造を、アーム１０８又は共振素子１０６の他の部分と接地１０４の間に形成することができる。これらのシナリオでは、アンテナ４０は、スロットアンテナ及び逆Ｆアンテナ構造の両方を含み、ハイブリッド逆Ｆ及びスロットアンテナと呼ばれることもあり得る。
【００４８】
アーム１０８は、誘電体ギャップ１０１などの誘電体充填開口部によって接地１０４から分離され得る。アンテナ接地１０４は、導電性支持プレート、プリント回路トレース、電子構成要素の金属部分、ディスプレイ１４の導電性部分、及び／又は他の導電性接地構造などの筐体構造から形成され得る。ギャップ１０１は、空気、プラスチック、及び／又は他の誘電材料によって形成され得る。
【００４９】
主共振素子アーム１０８は、リターン経路１１０によって接地１０４に結合され得る。アンテナフィード１１２は、正のアンテナフィード端子９８及び接地アンテナフィード端子１００を含み、アーム１０８と接地１０４との間でリターン経路１１０と平行に延びてもよい。所望であれば、図４の例示的なアンテナ構造４０などの逆Ｆアンテナ構造は、２つ以上の共振アーム分岐を有してもよく（例えば、複数の周波数共振を生成して複数の通信帯域における動作をサポートするため）、又は他のアンテナ構造（例えば、寄生アンテナ共振素子、アンテナ同調をサポートするための同調可能構成要素、など）を有してもよい。アーム１０８は、他の形状を有してもよく、所望であれば、任意の所望の経路（例えば、湾曲したセグメント及び／又は直線セグメントを有する経路）に従ってもよい。
【００５０】
所望であれば、アンテナ４０は、アーム１０８などのアンテナ共振素子構造１０６に結合された１つ以上の調整可能な回路（例えば、図３の同調可能構成要素１０２）を含むことができる。図４に示すように、例えば、調整可能なインダクタ１１４などの同調可能構成要素１０２は、アーム１０８などのアンテナ４０のアンテナ共振素子アーム構造とアンテナ接地１０４の間に結合されてもよい（すなわち、調整可能なインダクタ１１４がギャップ１０１を橋渡しすることができる）。調整可能なインダクタ１１４は、制御回路２８から調整可能なインダクタ１１４に提供される制御信号１１６に応じて調整されるインダクタンス値を示すことができる。
【００５１】
アンテナを含むデバイス１０の例示的部分の上面内面図を図５に示す。図５に示すように、デバイス１０は、導電性周囲筐体構造１６などの導電性周囲筐体構造を有することができる。導電性周囲筐体構造１６は、ギャップ１８−１及び１８−２などの誘電体充填周囲ギャップ（例えば、プラスチックギャップ）１８によって分割されてもよい。アンテナ構造４０は、第１のアンテナ４０Ｆ及び第２のアンテナ４０Ｗを含むことができる。アンテナ４０Ｆ（セルラー電話アンテナ又はセルラー及び衛星ナビゲーションアンテナと呼ばれることもある）は、ギャップ１８−１及び１８−２の間に延びる導電性周囲筐体構造１６のセグメントから形成された逆Ｆアンテナ共振素子アーム１０８を含むことができる。空気及び／又は他の誘電体が、アーム１０８と接地構造１０４の間のスロット１０１を充填することができる。所望であれば、開口部１０１は、アンテナの全体的な性能に寄与するスロットアンテナ共振素子構造を形成するように構成され得る。アンテナ接地１０４は、導電性筐体構造から、デバイス１０の電気デバイス構成要素から、プリント回路基板トレースから、ワイヤ及び金属箔のストリップ、ディスプレイ１４の導電性部分、及び／又は他の導電性構造などの導体のストリップから形成され得る。１つの適切な構成では、接地１０４は、筐体１２の両方の導電性部分（例えば、導電性バックプレートなどの筐体１２の後壁の部分と周囲ギャップ１８によってアーム１０８から分離された導電性周囲筐体構造１６の部分）、並びにディスプレイ１４の導電性部分を含む。
【００５２】
アンテナ４０Ｆは、１つ以上の所望の周波数帯域で共振をサポートすることができる。アーム１０８の長さは、１つ以上の所望の周波数帯域で共振するように選択され得る。例えば、アーム１０８は、セルラー低帯域ＬＢ、中帯域ＭＢ、高帯域ＨＢ、及び／又は衛星ナビゲーション帯域において共振をサポートすることができる。他の周波数（例えば、２．４ＧＨｚ及び５ＧＨｚの無線ローカルエリアネットワーク帯域及びＢｌｕｅｔｏｏｔｈ帯域又は他の帯域の周波数）での無線通信を処理するために、アンテナ４０Ｗなどの追加のアンテナを領域２０６内に形成することができる。
【００５３】
図５に示すように、接地１０４は、ギャップ１８−２と１８−１の間の導電性周囲筐体構造１６のセグメントから距離１４０だけ離れた部分を有することができる。スロット１０１は、これらの領域に幅１４０を有することができる。接地板１０４の他の部分は、より短い距離１４２だけ導電性周囲筐体構造１６から分離され得る。スロット１０１は、これらの領域に幅１４２を有することができる。
【００５４】
接地１０４は、１つ以上のアンテナに対するアンテナ接地として機能することができる。例えば、逆Ｆアンテナ４０Ｆは、地面１０４から形成されたアンテナ接地を含むことができる。アンテナ４０Ｗ（無線ローカルエリアネットワークアンテナ４０Ｗと呼ばれることもある）は、領域２３０及び接地１０４内にアンテナ共振素子を含むことができる。
【００５５】
伝送ライン９２の正の伝送ライン導体９４及び接地伝送ライン導体９６は、送受信機回路９０とアンテナフィード１１２の間に結合されてもよい。フィード１１２の正のアンテナフィード端子９８は、アンテナ４０Ｆのアーム１０８に結合され得る。フィード１１２の接地アンテナフィード端子１００は、接地１０４に結合され得る。アンテナフィード１１２は、距離１４２だけ導電性周囲構造１６から分離された接地板１０４に沿った位置でスロット１０１を横切って結合されてもよい。距離１４２は、例えば、地面１０４と導電性周囲筐体構造１６の間に所望の分布キャパシタンスが形成されるように選択され得る。分布キャパシタンスは、例えば、アンテナ４０が伝送ライン９２にインピーダンス整合されることを確実にするように選択されてもよい。距離１４２だけ導電性周囲筐体構造１６から分離される接地板１０４の部分は、所望であれば、接地板１０４が導電性周囲筐体構造１６から距離１４０だけ離れている２つの領域の間に介在されてもよい。送受信機回路９０（例えば、図２の遠隔無線送受信機回路３８、ローカル無線送受信機回路３６、及び／又はＧＰＳ受信回路４２）は、７００〜９６０ＭＨｚの低通信帯域、９６０〜１７１０ＭＨｚの低中帯域、１７１０〜２１７０ＭＨｚの中帯域、２３００〜２７００ＭＨｚの高帯域、３４００〜３７００ＭＨｚの超高帯域、ＷｉＦｉ（登録商標）（ＩＥＥＥ  ８０２．１１）通信用の２．４ＧＨｚ及び５ＧＨｚ帯域、及び／又はアンテナ４０及びフィード１１２を使用する１５７５ＭＨｚ  ＧＰＳ帯域などの周波数範囲の無線周波数信号を伝達することができる。
【００５６】
領域２３０内の無線ローカルエリアネットワークアンテナ４０Ｗは、逆Ｆアンテナ共振素子又は他の適切なアンテナ共振素子を含むことができる。無線ローカルエリアネットワークアンテナ４０Ｗは、アンテナ４０Ｗのアンテナ共振素子に結合された正のアンテナフィード端子２２２、及び接地１０４に結合された接地アンテナフィード端子２２４を有する対応するアンテナフィード２２０を使用してフィードされてもよい。無線ローカルエリアネットワークアンテナのフィード２２０は、信号経路２３２の正の信号導体２２６及び接地信号導体２２８（例えば、無線周波数伝送ライン）上に無線周波数を伝達することができる。ライン２２６及び２２８は、同軸ケーブル、ストリップライン伝送ライン、又はマイクロストリップ伝送ライン（例として）の一部を形成することができる。
【００５７】
無線ローカルエリアネットワークアンテナ４０Ｗは、複数の周波数帯域で共振することができる。例えば、アンテナ４０Ｗは、無線ローカルエリアネットワーク（ＷＬＡＮ）通信（例えば、ＷｉＦｉ（登録商標）通信）及び／又はＢｌｕｅｔｏｏｔｈ通信又は他の無線パーソナルエリアネットワーク（ＷＰＡＮ）通信用の２．４ＧＨｚ及び５ＧＨｚ帯域の両方をカバーすることができる。伝送ライン２３２は、無線ローカルエリアネットワーク送受信機回路３６とアンテナ４０Ｗのフィード２２０の間に結合されてもよい。無線ローカルエリアネットワーク送受信機回路３６は、伝送ライン２３２、フィード２２０、及びアンテナ４０Ｗを使用して、無線ローカルエリアネットワーク通信及び／又は無線パーソナルエリアネットワーク通信を処理することができる。
【００５８】
接地板１０４は、デバイス１０内で任意の所望の形状を有することができる。例えば、接地板１０４の下縁部は、導電性周囲ホース構造１６のギャップ１８−１と整列されてもよい（例えば、ギャップ１８−１の上又は下縁部は、ギャップ１８−１に隣接するスロット１０１を画定する接地板１０４の縁部と整列されてもよい）。この例は単なる例示に過ぎない。所望であれば、図５に示すように、接地１０４は、ギャップ１８−１の縁部の上に（例えば、図５のＹ軸に沿って）延びるギャップ１８−１に隣接するスロット１６２などの垂直スロットを含むことができる。同様に、接地板１０４の下縁部は、ギャップ１８−２と整列されてもよく（例えば、ギャップ１８−２の上又は下縁部は、ギャップ１８−２に隣接するスロット１０１を画定する接地板１０４の縁部と整列されてもよい）、又はギャップ１８−２の縁部の上に延びてもよい。
【００５９】
図５に示すように、ギャップ１８−１に隣接する垂直スロット１６２は、ギャップ１８−１の上縁部（例えば、上縁部１７４）を越えて（例えば、図５のＹ軸の方向に）延びることができる。スロット１６２は、例えば、接地１０４によって画定される２つの縁部及び導電性周囲構造１６によって画定される１つの縁部を有することができる。スロット１６２は、ギャップ１８−１のスロット１０１の開放端によって画定される開放端を有することができる。スロット１６２は、ギャップ１８−１の上の導電性周囲構造１６の部分から接地１０４を（例えば、図５のＸ軸の方向に）分離する幅１７６を有することができる。ギャップ１８−１の上の導電性周囲構造１６の部分は接地１０４に短絡され（したがってアンテナ構造４０のためのアンテナ接地の一部を形成する）、スロット１６２はアンテナ構造４０のためのアンテナ接地によって画定される３つの側部を有する開放スロットを効果的に形成することができる。スロット１６２は、任意の所望の幅（例えば、約２ｍｍ、４ｍｍ未満、３ｍｍ未満、２ｍｍ未満、１ｍｍ未満、０．５ｍｍ超、１．５ｍｍ超、２．５ｍｍ超、１〜３ｍｍ、など）を有することができる。スロット１６２は、細長い長さ１７８（例えば、幅１７６に対して垂直な）を有することができる。スロット１６２は、任意の所望の長さ（例えば、１０〜１５ｍｍ、５ｍｍ超、１０ｍｍ超、１５ｍｍ超、３０ｍｍ超、３０ｍｍ未満、２０ｍｍ未満、１５ｍｍ未満、１０ｍｍ未満、５〜２０ｍｍ、など）を有することができる。
【００６０】
電子デバイス１０は、長手方向軸２８２によって特徴付けられてもよい。長さ１７８は、長手方向軸２８２（例えば、図５のＹ軸）に対して平行に延びることができる。スロット１６２の部分は、所望であれば、１つ以上の周波数帯域でスロットアンテナ共振をアンテナ４０に寄与させることができる。例えば、スロット１６２の長さ及び幅（例えば、スロット１６２の周囲）は、アンテナ４０が所望の動作周波数で共振するように選択され得る。所望であれば、スロット１０１及び１６２の全長は、アンテナ４０が所望の動作周波数で共振するように選択され得る。
【００６１】
所望であれば、接地板１０４は、ギャップ１８−２の上縁部（例えば、上縁部１８４）を越えて（例えば、図５のＹ軸の方向に）延びる、ギャップ１８−２に隣接する追加の垂直スロット１８２を含むことができる。スロット１８２は、例えば、接地１０４によって画定される２つの縁部及び導電性周囲構造１６によって画定される１つの縁部を有することができる。スロット１８２は、ギャップ１８−２のスロット１０１の開放端によって画定される開放端を有することができる。スロット１８２は、ギャップ１８−１の上の導電性周囲構造１６の部分から接地１０４を（例えば、図５のＸ軸の方向に）分離する幅１８６を有することができる。ギャップ１８−２の上の導電性周囲構造１６の部分は接地１０４に短絡され（したがってアンテナ構造４０のためのアンテナ接地の一部を形成する）、スロット１８２はアンテナ構造４０のためのアンテナ接地によって画定される３つの側部を有する開放スロットを効果的に形成することができる。スロット１８２は、任意の所望の幅（例えば、約２ｍｍ、４ｍｍ未満、３ｍｍ未満、２ｍｍ未満、１ｍｍ未満、０．５ｍｍ超、１．５ｍｍ超、２．５ｍｍ超、１〜３ｍｍ、など）を有することができる。スロット１８２は、細長い長さ１８８（例えば、幅１８６に対して垂直な）を有することができる。スロット１８２は、任意の所望の長さ（例えば、１０〜１５ｍｍ、５ｍｍ超、１０ｍｍ超、１５ｍｍ超、３０ｍｍ超、３０ｍｍ未満、２０ｍｍ未満、１５ｍｍ未満、１０ｍｍ未満、５〜２０ｍｍ、など）を有することができる。
【００６２】
長さ１８８は、長手方向軸２８２（例えば、図５のＹ軸）に対して平行に延びることができる。スロット１８２の部分は、所望であれば、１つ以上の周波数帯域でスロットアンテナ共振をアンテナ４０に寄与させることができる。例えば、スロット１８２の長さ及び幅は、アンテナ４０が所望の動作周波数で共振するように選択され得る。所望であれば、スロット１０１及び１８２の全長は、アンテナ４０が所望の動作周波数で共振するように選択され得る。所望であれば、スロット１０１、１６２、及び１８２の全長は、アンテナ４０が所望の動作周波数で共振するように選択され得る。
【００６３】
図４の経路１１０などのリターン経路は、スロット１０１並びに／又は図５に示す調整可能な構成要素２０２及び／若しくは２０８などの１つ以上の調整可能な構成要素（例えば、図３の同調構成要素１０２などの調整可能な構成要素）を橋渡しする固定された導電経路によって形成されてもよい。調整可能な構成要素２０２及び２０８は、本明細書では、同調構成要素、同調可能構成要素、同調回路、同調可能回路、調整可能な構成要素、又は調整可能な同調構成要素と呼ばれることもある。
【００６４】
調整可能な構成要素２０２は、スロット１０１に沿った第１の位置でスロット１０１を橋渡しすることができる（例えば、構成要素２０２は、接地板１０４の端子２０６と導電性周囲構造１６の端子２０４の間に結合され得る）。調整可能な構成要素２０８は、スロット１０１に沿った第２の位置でスロット１０１を橋渡しすることができる（例えば、構成要素２０８は、接地板１０４の端子２１２と導電性周囲構造１６の端子２１０の間に結合され得る）。接地アンテナフィード端子１００は、接地板１０４上の端子２０６と端子２１２の間に介在され得る。正のアンテナフィード端子９８は、導電性周囲構造１６上の端子２０４と端子２１０の間に介在されてもよい。端子２１２は、端子２０６よりも接地アンテナフィード端子１００に近づいてもよい。端子２１０は、端子２０４よりも正のアンテナフィード端子９８に近づいてもよい。端子２０６及び２１２は、導電性周囲筐体構造１６から距離１４０だけ離れた接地板１０４の部分に形成することができる。
【００６５】
構成要素２０２及び２０８は、調整可能な量のインダクタンスを提供するためのインダクタなどの固定構成要素に結合されたスイッチ、又は接地１０４と導電性周囲構造１６の間に開回路を含むことができる。構成要素２０２及び２０８は、スイッチに結合されていない固定構成要素、又はスイッチに結合された構成要素とスイッチに結合されていない構成要素の組み合わせを含むことができる。これらの例は単なる例示であり、一般に、構成要素２０２及び２０８は、調整可能なリターン経路スイッチ、キャパシタに結合されたスイッチ、又は任意の他の所望の構成要素（例えば、抵抗、キャパシタ、インダクタ及び／又は任意の所望の方法で構成されたインダクタ）。
【００６６】
構成要素２０２及び２０８は、電子デバイスの動作環境に基づいて調整されてもよい。例えば、アンテナ４０Ｆの同調モードは、アンテナ４０の近傍のユーザの手若しくは他の身体部分などの外部物体の有無に基づいて、及び／又は必要な通信帯域に基づいて選択され得る。構成要素２０２及び２０８は、アンテナ４０に異なる負荷条件（例えば、アンテナ４０の様々な異なる対応する部分に隣接するデバイス１０の様々な異なる部分に、ユーザの手又は他の外部物体の存在によって生じ得る異なる負荷条件）に適応する柔軟性を提供する。
【００６７】
構成要素２０２及び２０８は、任意の所望の構造を使用して、導電性周囲筐体構造１６と接地板１０４の間に形成され得る。例えば、構成要素２０２及び２０８は各々、導電性周囲筐体構造１６と接地板１０４の間に結合されるフレキシブルプリント回路基板などのそれぞれのプリント回路上に形成されてもよい。
【００６８】
アンテナ４０Ｆの周波数応答は、調整可能な構成要素２０２及び２０８の同調モードに依存し得る。例えば、第１の同調モードでは、調整可能な構成要素２０２は、アンテナ共振素子アーム１０８とアンテナ接地１０４の間に開回路を形成することができるが、調整可能な構成要素２０８は、アンテナ共振素子アーム１０８とアンテナ接地１０４の間の１つ以上のインダクタを、アンテナ４０Ｆに選択的に結合することができる。第１の同調モードでは、低帯域ＬＢ（例えば、７００ＭＨｚ〜９６０ＭＨｚ又は別の適切な周波数範囲）におけるアンテナ４０の共振は、例えば、図５のフィード１１２とギャップ１８−１の間の導電性周囲構造１６に沿った距離に関連付けられ得る。図５は、デバイス１０の正面から見た図であるので、図５のギャップ１８−１は、デバイス１０を正面（例えば、ディスプレイ１４が形成されているデバイス１０の側部）から見たとき、デバイス１０の左縁部にあり、デバイス１０を後ろから見たとき、デバイス１０の右縁部にある。中帯域ＭＢ（例えば、１７１０ＭＨｚ〜２１７０ＭＨｚ）におけるアンテナ４０の共振は、例えば、フィード１１２とギャップ１８−２の間の導電性周囲構造１６に沿った距離に関連付けられ得る。中帯域ＭＢのアンテナ性能は、接地板１０４のスロット１８２によってもサポートされ得る。高帯域ＨＢ（例えば、２３００ＭＨｚ〜２７００ＭＨｚ）におけるアンテナ性能は、接地板１０４のスロット１６２及び／又はアンテナアーム１０８によってサポートされる共振の高調波モードによってサポートされてもよい。
【００６９】
第２の同調モードでは、調整可能な構成要素２０８は、アンテナ共振素子アーム１０８とアンテナ接地１０４の間に開回路を形成してアンテナを同調させることができるが、調整可能な構成要素２０２は、アンテナ共振素子アーム１０８とアンテナ接地１０４の間の１つ以上のインダクタを、アンテナ４０Ｆに選択的に結合することができる。第２の同調モードでは、低帯域ＬＢにおけるアンテナ４０Ｆの共振は、例えば、図５の構成要素２０２（すなわち、端子２０４）の位置とギャップ１８−２の間の導電性周囲構造１６に沿った距離に関連付けられ得る。中帯域ＭＢにおけるアンテナ４０の共振は、例えば、構成要素２０２（すなわち、端子２０４）の位置とギャップ１８−１の間の導電性周囲構造１６に沿った距離に関連付けられ得る。高帯域ＨＢにおけるアンテナ性能も、接地板１０４のスロット１６２によってサポートされ得る。
【００７０】
第３の同調モードでは、調整可能な構成要素２０２及び２０８の両方は、アンテナ共振素子アーム１０８とアンテナ接地１０４の間に１つ以上のインダクタを選択的に結合して、アンテナ４０Ｆを同調させることができる。第３の同調モードでは、中帯域ＭＢ及び高帯域ＨＢにおけるアンテナ４０の共振は、導電性周囲構造１６の部分（例えば、構成要素２０２の端子２０４と構成要素２０８の端子２１０の間の導電性周囲構造１６の部分）、構成要素２０２、接地板１０４、及び構成要素２０８を含むループに関連付けられ得る。
【００７１】
アンテナ４０は、各同調モードにおいて異なる周波数帯域を扱うように構成されてもよい。例えば、第１の同調モードでは、アンテナ４０Ｆは、低帯域、中帯域、及び高帯域の通信を行うように構成されてもよい。アンテナ４０Ｆの第２の同調モードでも、低帯域、中帯域、及び高帯域で通信を行うように構成されてもよい。しかしながら、第１及び第２の同調モードは、ユーザの手などの外部デバイスによるアンテナ負荷を異なる方法で補償することができる。例えば、第１の同調モードでは、アンテナ４０は、デバイス１０がユーザの右手で保持されている場合には比較的高いアンテナ効率で、デバイス１０がユーザの左手によって保持されている場合には比較的低いアンテナ効率で動作するように構成され得るが、第２の同調モードでは、アンテナ４０は、ユーザ１０の左手で保持されている場合には比較的高いアンテナ効率で、ユーザ１０の右手で保持されている場合には比較的低いアンテナ効率で動作するように構成され得る。言い換えると、第１及び第２の同調モードでは、アンテナ４０は、低帯域、中帯域、及び高帯域で無線通信を行うことができるが、ユーザがデバイス１０を保持するためにどの手を使用しているかなどの特定の動作条件に敏感である。
【００７２】
一般に、アンテナ４０は、中帯域又は高帯域で動作する場合よりも低帯域で動作しているときに、負荷状態の変化及び離調の影響をより受けやすい可能性がある。第３の同調モードでは、アンテナ４０は、ユーザがデバイス１０を保持するためにどの手を使用しているかにかかわらず（例えば、アンテナ４０がユーザの利き手に対して弾力的であるか又は可逆的であり得る）比較的高い効率で動作するように構成され得る。しかし、第３の同調モードに配置されたとき、アンテナ４０は、アンテナ４０が第１及び第２の同調モードでカバーすることができる周波数帯域のサブセットのみをカバーすることができる。例えば、第３の同調モードでは、アンテナ４０は、低帯域をカバーせずに、中帯域及び高帯域をカバーすることができる。
【００７３】
第１の同調モードで動作するとき、調整可能な構成要素２０２は、端子２０４と２０６の間に開回路を形成することができる。しかし、第２又は第３の同調モードで動作される場合、調整可能な構成要素２０２の１つ以上のインダクタは、端子２０４と２０６の間に結合されてもよい。第２及び第３の同調モードでは、少なくとも１つのインダクタが端子２０４及び２０６の間に接続されているとき、ギャップ１８−１の周りに比較的強い（例えば、高い大きさの）電界が存在し得る。注意が払われなければ、比較的高い大きさの電界は、領域２３０内のアンテナ４０Ｗの共振素子などの隣接するアンテナ構造と干渉することがある。
【００７４】
図６は、１つの特定のシナリオにおいてギャップ１８−１に隣接するアンテナ４０Ｗの上面図である。図６に示すように、アンテナ４０Ｗは、アンテナ共振素子２４２（例えば、逆Ｆアンテナ共振素子）などのアンテナ共振素子を含むことができる。アンテナ共振素子２４２は、例えば、誘電体基板上の金属トレースから形成され得る。フィード２２０の正のアンテナフィード端子２２２はアンテナ共振素子２４２に結合され、接地アンテナフィード端子２２４は接地１０４に結合され得る。リターン経路２４４は、アンテナ共振素子２４２と接地１０４の間に結合されてもよい。アンテナ共振素子２４２は、領域２４６（例えば、フィード端子２２２に最も近い共振素子２４２の領域）内で比較的高い電流密度を示すことができる。領域２４６内の比較的高い電流密度は、領域２４８内のアンテナ４０Ｆのアンテナ共振素子１０８によって生成された比較的高い大きさの電界に電磁的に結合することができる。この電磁結合は、例えば、アンテナ４０Ｆとアンテナ４０Ｗの間の電磁的絶縁を制限する役割を果たすことができ、アンテナ４０Ｗ及び／又はアンテナ４０Ｆによって処理されるアンテナ信号に電磁干渉を生成することができる。そのような干渉は、アンテナ４０Ｗ及び／又は４０Ｆによって伝達されるデータにエラーを導入する可能性があり、対応する無線リンク品質を低下させる可能性があり、及び／又は対応する無線リンクを切断させる可能性がある。
【００７５】
図６では、正のアンテナフィード端子２２２は、距離２５０だけギャップ１８−１から分離されている。アンテナ４０Ｆとアンテナ４０Ｗの間の電磁結合は、例えば、この距離を増加させることによって緩和され得る。
【００７６】
図６の構成に対してアンテナ４０Ｗと４０Ｆとの間により大きな電磁的絶縁を有するアンテナ４０Ｗの配置が、図７に示されている。図７に示すように、アンテナ４０Ｗは、アンテナ共振素子２４２を有してもよい。アンテナ共振素子２４２は、例えば、誘電体基板上の金属トレースから形成され得る。アンテナ４０Ｗのアンテナ共振素子２４２は、正のアンテナフィード端子２２２に結合された第１のセグメント２５６を含むことができる。セグメント２５６は、デバイスの左縁部にほぼ平行であり、デバイスの下縁部にほぼ垂直である長手方向軸に沿って延びることができる（例えば、セグメント２５６は、図５及び図７のＹ軸に平行に延びることができる）。
【００７７】
図７のアンテナ共振素子２４２は、セグメント２５６から延び、第１の無線ローカルエリアネットワークアンテナ帯域（例えば、５１５０ＭＨｚ〜５８５０ＭＨｚの５ＧＨｚ  ＷｉＦｉ（登録商標）帯域）で共振する第１の分岐（アーム）２５８を含む。分岐２５８は、セグメント２５６からギャップ１８−１に向かって（例えば、Ｘ軸に平行に）延びる第１のセグメント２５７、及びセグメント２５６に対向し、セグメント２５７に垂直な（例えば、Ｙ軸に平行な）セグメント２５７の端部から離れて延びる第２のセグメント２５９を含むことができる。アンテナ共振素子１０８の水平部分に垂直な方向にアーム２５８の先端を延ばすことは、例えば、第１の無線ローカルエリアネットワーク帯域の周波数でアーム２５８とアンテナ４０Ｗの間の分離を最大にするのに役立つことができる。
【００７８】
アンテナ共振素子は、セグメント２５６から延び、第２の無線エリアネットワーク帯域（例えば、２４００ＭＨｚ〜２５００ＭＨｚ及び／又はＢｌｕｅｔｏｏｔｈ帯域の２．４ＧＨｚ  ＷｉＦｉ（登録商標）帯域）で共振する第２の分岐（アーム）２６０も含むことができる。分岐２６０は、ギャップ１８−１から離れる方向に（例えば、Ｘ軸に平行に）セグメント２５６から延びる第１のアンテナ共振素子セグメント２６１を含むことができる。分岐２６０は、正のアンテナフィード端子２２２から離れ、セグメント２６１に垂直な（例えば、Ｙ軸に平行な）方向にセグメント２５６に対向するセグメント２６１の端部から延びる第２のセグメント２６３を含むことができる。分岐２６０は、セグメント２６３に垂直でセグメント２６１に平行な（例えば、Ｘ軸に平行な）方向でセグメント２６１に対向するセグメント２６３の端部から延びる第３のアンテナ共振素子セグメント２６５も含むことができる。所望であれば、分岐２６０は、セグメント２６３に対向するセグメント２６５の端部から、セグメント２６１及び２６５に垂直でセグメント２６３及びセグメント２５６に平行な（例えば、Ｙ軸に平行な）方向に延びる第４のアンテナ共振素子セグメント２６７を更に含むことができる。このように構成された場合、セグメント２６７は、ギャップ１８−１に隣接する共振素子アーム１０８の部分に平行に延びてもよく、セグメント２６７の先端と接地１０４の間に介在するギャップで終端してもよい。セグメント２６７（例えば、分岐２６０の第１の端部）は、セグメント２６０の第２の端部（正のアンテナフィード端子２２２に結合されている）とアンテナ共振素子アーム１０８の端部の間に介在されてもよく、分岐２６０の第２の端部（正のアンテナフィード端子２２２に結合されている）とギャップ１８−１の間に介在されてもよく、セグメント２６７の部分が分岐２６０の第２の端部（正のアンテナフィード端子２２２に結合されている）とアンテナ共振素子アーム１０８の端部、ギャップ１８−１、及び／又は導電性周囲筐体構造１６の部分の間に介在されるように、ギャップ１８−１を越えて延びてもよい。セグメント２６５は、アンテナ素子４０Ｆのフィード１１２が形成されている共振素子アーム１０８の水平部分に平行に延びることができる。このようにして、アンテナ共振素子アーム２６０は、アンテナ４０Ｆの隣接するアンテナ共振素子アーム１０８の形状に従うか、又はそれをミラー化して、アンテナ間の電磁結合の量を最小限にするのに役立つことができる。
【００７９】
更に、このように構成された場合、セグメント２６７は、フィード２２０（セグメント２５６）と、第２及び第３の同調モードで動作されるときに、領域２４８内のアンテナ４０Ｆによって生成される比較的高い大きさの電界の間に介在され得る。セグメント２６７は、分岐２５８及び／又はアンテナフィード２２０を高い大きさの電界からシールドして、分離を改善することができる。アンテナ４０Ｆとアンテナ４０Ｗと間の分離は、正のアンテナフィード端子２２２とギャップ１８−１の間の距離を増加させることによっても改善され得る。例えば、正のアンテナフィード端子２２２は、ギャップ１８−１から図７の距離２５２及び図６の距離２５０だけ離されている。距離２５２は、距離２５０より大きくてもよい。電磁結合は正のアンテナフィード端子２２２とギャップ１８−１の間の距離に反比例するので、図７の距離の増加は、電磁結合を低減し、アンテナ性能（アンテナ効率）を向上させ、対応する無線リンク品質を高め、及び／又は対応する無線リンクが、例えば、図６の構成に対して切断される可能性を低減することができる。
【００８０】
図７に示すように、無線ローカルエリアネットワークアンテナは、アンテナ共振素子２４２を接地１０４に結合するリターン経路２４４も含むことができる（例えば、共振素子２４２上で伝達されるアンテナ電流は、リターン経路２４４上の接地１０４に短絡され得る）。所望であれば、キャパシタ２６２などの任意の容量性回路を、セグメント２６１と接地板１０４上の端子２６４の間のリターン経路２４４に介在させることができる。キャパシタ２６２は、例えば、セルラー中帯域の周波数の電流を接地端子２６４に通すことを阻止するハイパスフィルタとして機能することができる。これは、例えば、無線ローカルエリアネットワークアンテナ４０Ｗとセルラーアンテナ４０Ｆの間の分離を、対応する動作周波数で更に改善することができる。所望であれば、キャパシタ２６２を省略してもよい。
【００８１】
接地端子２６４は、接地１０４の部分を形成する導電性支持プレートに電気的に接続されたネジ及び／又はネジボスを含むことができる。接地端子２６４は、所望であれば、他の構成要素と共有され得る。例えば、インダクタ２０２は、（例えば、共振素子２４２の導電トレースに接触することなく）接地端子２６４に結合されてもよい。
【００８２】
前述の構成のいくつかでは、留め具は、導電性構成要素をアンテナ接地に短絡するために使用されるものとして記載される。一般に、ブラケット、クリップ、バネ、ピン、ネジ、半田、溶接、導電性接着剤、又はこれらの組み合わせなどの任意の所望の留め具を使用することができる。留め具は、電子デバイス１０内の構成要素を電気的に接続し及び／又は機械的に固定するために使用され得る。留め具は、電子デバイス１０内の任意の所望の端子（例えば、端子２２４、２０４、２０６、２６４、９８、１００、２１０、及び／又は２１２）内で使用され得る。
【００８３】
更に、デバイス内の各接地端子（例えば、端子２２４、２０６、２６４、１００、及び／又は２１２）において、デバイス接地の異なる構成要素（例えば、図５の接地１０４）が電気的に接続されて、共振素子アーム１０８に最も近くに位置する導電性構造が接地電位に保持され、アンテナ接地１０４の一部を形成する。１つの適切な構成では、接地１０４は、筐体１２の導電性部分（例えば、導電性バックプレートなどの筐体１２の後壁の部分及び周囲ギャップ１８によってアーム１０８から分離された導電性周囲筐体構造１６の部分）並びにディスプレイ１４の導電性部分（例えば、ディスプレイパネルの導電性部分、ディスプレイパネルを支持するための導電性プレート、並びに／又は導電性プレート及び／若しくはディスプレイパネルを支持するための導電性フレーム）の両方を含む。垂直導電性構造（例えば、ブラケット、クリップ、バネ、ピン、ネジ、半田、溶接、導電性接着剤、ワイヤ、金属ストリップ、又はこれらの組み合わせ）は、筐体１２の導電性部分を、ディスプレイ１４の導電性部分に端子２２４、２０６、２６４、１００、及び／又は２１２で結合することができる。ディスプレイ１４の導電性部分などの共振素子アーム１０８に最も近い導電性構造が接地電位に保持されていることを確実にすることは、例えば、アンテナ構造４０のアンテナ効率を最適化するのに役立つ。
【００８４】
アンテナ４０Ｗ及びアンテナ４０Ｆをデバイス１０内でアンテナ接地１０４にどのように接地することができるかを示す電子デバイス１０の断面側面図を図８に示す。（例えば、図７の矢印２８３の方向に取られた）。図８に示すように、電子デバイス１０のディスプレイ１４は、ディスプレイパネル３０４を覆うディスプレイカバー層３０２などのディスプレイカバー層を含むことができる。ディスプレイパネル３０４（ディスプレイモジュールと呼ばれることがある）は、任意の所望のタイプのディスプレイパネルであってもよく、発光ダイオード（ＬＥＤ）、有機ＬＥＤ（ＯＬＥＤ）、プラズマセル、エレクトロウェッティング画素、電気泳動画素、液体液晶ディスプレイ（ＬＣＤ）構成要素、又は他の適切な画素構造を含むことができる。ディスプレイパネル３０４の横方向の領域は、例えば、ディスプレイ１４のアクティブエリアＡＡのサイズを決定することができる（図１）。ディスプレイパネル３０４は、アクティブ発光構成要素、タッチセンサ構成要素（例えば、タッチセンサ電極）、力センサ構成要素、及び／又は他のアクティブ構成要素を含むことができる。ディスプレイカバー層３０２は、下にあるディスプレイパネルの発光面を覆う透明なガラス、プラスチック、又は他の誘電体の層であってもよい。別の適切な構成では、ディスプレイカバー層３０２は、ディスプレイパネル３０４の最外層であってもよい（例えば、層３０２は、カラーフィルタ層、薄膜トランジスタ層、又は他の表示層であってもよい）。ボタンは、カバー層３０２の開口部を貫通することができる（図１のボタン２４参照）。カバー層は、スピーカポート用開口部などの他の開口部も有することができる（図１のスピーカポート２６参照）。
【００８５】
ディスプレイパネル３０４は、ディスプレイプレート３０６などの導電性ディスプレイ支持プレート（ミッドプレート又はディスプレイプレートと呼ばれることもある）によって電子デバイス１０内に支持されてもよい。導電性ディスプレイフレーム３０８は、ディスプレイプレート３０６及び／又はディスプレイパネル３０４を筐体１２上の適所に保持することができる。例えば、ディスプレイフレーム３０８は、リング形状であってもよく、ディスプレイパネル３０４の周囲に延びて、中央開口部を囲む部分を含んでもよい。ディスプレイプレート３０６及びディスプレイフレーム３０８は両方とも、導電性材料（例えば、金属）から形成され得る。ディスプレイプレート３０６とディスプレイフレーム３０８が直接接触して、ディスプレイプレート３０６とディスプレイフレーム３０８が電気的に接続されていてもよい。所望であれば、ディスプレイプレート３０６及びディスプレイフレーム３０８は、（例えば、同じ金属片から）一体に形成されてもよい。
【００８６】
導電性ディスプレイフレーム３０８は、導電性バネ３１０によって無線周波数シールド３１２に電気的に接続され得る。導電性バネは、ディスプレイフレーム３０８と無線周波数シールド３１２の両方に直接接触してもよい。フレーム３０８とシールド３１２を電気的に接続する導電性バネの例は単なる例示であり、他の所望の構造（例えば、ブラケット、クリップ、バネ、ピン、ネジ、半田、溶接、導電性接着剤、又はこれらの組み合わせ）が、フレーム３０８とシールド３１２を電気的に接続することができる。あるいは、ディスプレイフレーム３０８は、介在構造なしに無線周波数シールド３１２に直接接触してもよい。
【００８７】
無線周波数シールド３１２は、電子デバイス１０内のセルラーアンテナ及び無線ローカルエリアネットワークアンテナを干渉からシールドすることができる。セルラーアンテナは、導電性周囲筐体構造１６及び他の所望の構造などの導電性構造から形成されてもよい。無線ローカルエリアネットワークアンテナは、回路基板上のトレースから少なくとも部分的に形成され得る。図８に示すように、アンテナ共振素子２４２は、プリント回路３２２上に形成され得る。所望であれば、リターン経路２４４及びキャパシタ２６２などの他のアンテナトレース及び構成要素もプリント回路３２２上に形成することができる。プリント回路３２２は、リジッドプリント回路基板（例えば、ガラス繊維充填エポキシ又は他のリジッドプリント回路基板材料から形成されたプリント回路基板）であってもよく、又はフレキシブルプリント回路（例えば、ポリイミド又は他のフレキシブルポリマー層のシートから形成されたフレキシブルプリント回路）であってもよい。アンテナ共振素子２４２を有するプリント回路３２２は、無線周波数シールド３１２の下に形成されるので、無線ローカルエリアネットワークアンテナは、電子デバイス１０内の他の構成要素によって生成された無線周波数信号（例えば、他方の無線周波数シールドに由来する無線周波数信号）からシールドされ得る。
【００８８】
図８に示すように、筐体１２は、導電性筐体層３２０などの導電性部分（例えば、デバイス１０の左と右の縁部の間に延び、アンテナ接地１０４の部分を形成するデバイス１０の導電性バックプレート）を含んでもよい。プリント回路３２２は、導電性筐体層３２０のカットアウト領域内に形成され得る。所望であれば、印刷回路３２２の上に追加の電子構成要素を形成することができる。
【００８９】
筐体１２は、誘電体層３２４などの誘電体筐体部分、及び導電層３２０（本明細書では、導電性筐体壁３２０と呼ばれることもある）などの導電性筐体部分を含むことができる。所望であれば、誘電体層３２４は、層３２４がデバイス１０の外面を形成するように層３２０の下に形成されてもよい（例えば、それによって層３２０を摩耗から保護し及び／又は層３２０をユーザの視界から隠す）。導電性筐体部分３２０は、接地１０４の部分を形成することができる。例として、導電性筐体部分３２０は、デバイス１０の導電性支持プレート又は壁（例えば、導電性バックプレート又は後部筐体壁）であってもよい。導電性筐体部分３２０は、所望であれば、デバイス１０の幅を横切って（例えば、周囲筐体構造１６によって形成された２つの対向する側壁の間に）延びてもよい。所望であれば、導電性筐体部分３２０及びデバイス１０の対向する側壁は、金属の単一の一体片から形成されてもよく、又は部分３２０は他の方法でデバイス１０の対向する側壁に短絡されてもよい。誘電層３２４は、例として、薄いガラス、サファイア、セラミック、若しくはサファイアの層、又は他の誘電体コーティングであってもよい。別の適切な構成では、所望であれば層３２４を省略することができる。
【００９０】
プリント回路３２２は、１つ以上の導電性構造を用いて、導電性筐体層３２０に固定され、それに電気的に接続されてもよい。各導電性構造は、２つ以上の構成要素を電気的に接続し、２つ以上の構成要素又はその両方を取り付けるのに役立ち得る。導電性構造３２６は、クリップであってもよく、フレキシブルプリント回路３２２を導電性支持プレート３２０に固定するのに役立ち、及び／又はフレキシブルプリント回路３２２を導電性支持プレート３２０に電気的に接続するのに役立ち得る。留め具３２８及び３３０は、無線周波数シールド３１２、導電性支持プレート３２０及びプリント回路３２２を一緒に取り付けることができる。留め具３２８及び３３０は、それらが電気的に構成要素も接続するように導電性であってもよい。例えば、留め具３２８及び／又は３３０は、無線周波数シールド３１２を導電性筐体層３２０に電気的に接続することができる。留め具３３０は、ネジであってもよく、留め具３２８は、ネジ３３０を受け入れるネジボスであってもよい。導電性構造３２６及び留め具３２８及び３３０は、無線ローカルエリアネットワークアンテナ（図７に示す）のリターン経路用の接地端子２６４を集合的に形成することができる。
【００９１】
導電性支持プレート３２０、無線周波数シールド３１２、ディスプレイフレーム３０８、ディスプレイプレート３０６、及び導電性周囲筐体構造１６の部分は、まとめて電子デバイス１０用の接地１０４を形成してもよい。図８に示すように、調整可能な構成要素２０２は、無線周波数シールド３１２（例えば、端子２０６がシールド３１２上に配置されてもよい）で接地に結合されてもよい。調整可能な構成要素２０２は、スイッチ３１８に結合されたインダクタ３１６を含むことができる。第１の状態（例えば、閉状態）では、スイッチ３１８は、導電性周囲ホース構造１６の端子２０４と無線周波数シールド３１２の端子２０６の間にインダクタ３１６を接続することができる。第２の状態（すなわち、開状態）では、スイッチ３１８は、端子２０４と端子２０６の間のインダクタを切断することができる。インダクタ３１６が端子２０４と２０６との間に接続された第１の状態では、高強度の電界がギャップ１８−１の周りに存在することができる（図７）。インダクタ３１６は、第２及び第３の同調状態（図５に関連して説明したように）において、端子２０４及び２０６の間に接続されてもよい。インダクタ３１６及びスイッチ３１８は、所望であればフレキシブルプリント回路３１４などのプリント回路上に形成され得る。
【００９２】
図８は単なる例示である。所望であれば、導電性構造３１０は導電性筐体層３２０に直接短絡され得る。接地端子２０６は、無線周波数シールド３１２の代わりに導電性筐体層３２０上に形成され得る。リターン経路は、アンテナ共振素子２４２を地面１０４の任意の所望の部分（例えば、無線周波数シールド３１２、導電性筐体層３２０、ディスプレイフレーム３０８、ディスプレイプレート３０６など）に結合することができる。
【００９３】
図９は、電子デバイス１０の様々な構成要素とアンテナ接地１０４との間の関係を示す概略図である。図９に示すように、表示板３０６、ディスプレイフレーム３０８、無線周波数シールド３１２、及び導電性支持プレート３２０は集合的にアンテナ接地１０４の部分を形成することができる。この例は単なる例示に過ぎず、一般に、接地１０４は、所望であれば、更なる又は代替の構成要素及び導電性構造を含むことができることに留意されたい。
【００９４】
図９に示すように、調整可能なインダクタ２０２のフレキシブルプリント回路３１４は無線周波数シールド３１２に結合されてもよく、無線ローカルエリアネットワークアンテナトレースのフレキシブルプリント回路３２２は導電性支持プレート３２０に結合されてもよい。図９の各接続は、直接（即ち、構成要素間の直接接触から）、又は任意の所望の介在導電性構造（例えば、ブラケット、クリップ、バネ、ピン、ネジ、半田、溶接、導電性接着剤、ワイヤ、金属ストリップ、又はこれらの組み合わせ）を使用して、形成され得る。例えば、ディスプレイプレート３０６とディスプレイフレーム３０８を直接接続してもよい。ディスプレイフレーム３０８及び無線周波数シールド３１２は、導電性構成要素（例えば、図８のバネ３１０）と電気的に接続されてもよい。無線周波数シールド３１２は、ネジ及び／又はネジボス（例えば、図８の留め具３２８及び３３０）などの留め具を使用して導電性支持プレート３２０に電気的に接続されてもよい。無線周波数シールド３１２は、フレキシブルプリント回路３１４に電気的に接続され得る。導電性支持プレート３２０は、フレキシブル印刷回路３２２に直接接続されてもよく、又はクリップなどの導電性構造（例えば、図８のクリップ３２６）を使用してフレキシブルプリント回路３２２に電気的に接続されてもよい。図８及び図９に示す構成は単なる例示であり、所望であれば電子デバイス１０の構成要素に他の構成が使用され得る。
【００９５】
図１０は、周波数の関数としての、アンテナ４０Ｆとアンテナ４０Ｗの間の電磁的絶縁（例えば、Ｓ２１散乱パラメータ測定値）のグラフである。図１０に示すように、アンテナ４０Ｆは、セルラー中帯域ＭＢ（例えば、１７１０〜２１７０ＭＨｚ）及びセルラー高帯域ＨＢ（例えば、２３００〜２７００ＭＨｚ）において共振を示すことができる。アンテナ４０Ｗは、セルラー高帯域ＨＢの一部と重なる２．４ＧＨｚ無線ローカルエリアネットワーク帯域内で共振を示すことができる。これは単なる例示に過ぎず、所望であれば、アンテナ４０Ｗ及び４０Ｆは、図１０のグラフには示されていない追加の帯域において共振を示すことができる（例えば、７００〜９６０ＭＨｚのセルラー低帯域、５ＧＨｚ  ＷｉＦｉ（登録商標）帯域、など）。
【００９６】
中帯域ＭＢは、１７１０ＭＨｚ〜２１７０ＭＨｚ又は他の適切な周波数範囲に拡張することができる。高帯域ＨＢは、２３００ＭＨｚ〜２７００ＭＨｚに拡張することができる。閾値４０８は、アンテナ４０Ｆとアンテナ４０Ｗの間の最小分離閾値（例えば、−１０ｄＢ）を示すことができる。図１０に示すように、図６に示す構成（例えば、高強度電界領域２４８に近接した高電流密度領域２４６を有する）を用いてアンテナ４０Ｗ及び４０Ｆを実装する場合、アンテナ４０Ｗ及び４０Ｆは、曲線４０２によって特徴付けられる分離を示すことができる。領域２４６内の高電流は、領域２４８内の近傍の高い大きさの電界に強く結合され、それにより、２つの間の分離は最小限に抑えられるため、曲線４０２は閾値４０８を超える。アンテナ４０Ｗ及び４０Ｆが図７に示す構成を用いて実装され、キャパシタ２６２がない場合、アンテナ４０Ｗ及び４０Ｆは、曲線４０４によって特徴付けられる分離を示すことができる。曲線４０４によって示されるように、キャパシタ２６２が存在しない場合でも、アンテナ４０Ｆとアンテナ４０Ｗとの間に十分な分離が存在して、閾値４０８を満たすことができる（例えば、正のアンテナフィード端子２２２と誘電体充填ギャップ１８−１の間の距離の増大、分岐２５８及び／又はアンテナフィード２２０をシールド高い大きさの電界からするセグメント２６７、などにより）。キャパシタ２６２の存在は、セルラーアンテナと無線ローカルエリアネットワークアンテナの間の分離を更に改善することができる。図７に示すように、曲線４０６は、キャパシタ２６２がリターン経路２４４上に形成されたときに、アンテナ４０Ｆ及び４０Ｗの分離を特徴付ける。キャパシタ２６２は、キャパシタ２６２が存在しないシナリオ（曲線４０４）に対して、分離（具体的には中帯域ＭＢ及び２．４ＧＨｚ無線ローカルエリアネットワーク帯域内で）を更に改善するのに役立ち得る。この例は単なる例示であり、所望であれば、曲線は任意の帯域の任意の形状を有することができる。アンテナ構造４０は、これらの帯域のサブセット及び／又は追加の帯域において共振を示すことができる。
【００９７】
一実施形態によれば、第１及び第２の誘電体充填ギャップを有する導電性周囲構造を有する筐体と、第１のアンテナ用の第１のアンテナ共振素子アームであって、第１の誘電体充填ギャップに第１の端部及び第２の誘電体充填ギャップに、対向する第２の端部を有する、第１のアンテナ共振素子アームと、第２のアンテナ用の第２のアンテナ共振素子アームであって、正のアンテナフィード端子に接続された第１の端部及び第１の端部に対向する第２の端部を有し、第２のアンテナ共振素子アームの第２の端部は、第１の誘電体充填ギャップと第２のアンテナ共振素子アームの第１の端部の間に介在する、第２のアンテナ共振素子アームと、を含む電子デバイスが提供される。
【００９８】
別の実施形態によれば、電子デバイスは、正のアンテナフィード端子と第２のアンテナ共振素子の第２の端部の間に介在される第２のアンテナ用の第３のアンテナ共振素子アームを含み、第２のアンテナ共振素子アームは、第１の周波数帯域で無線周波数信号を伝達するように構成されており、第３のアンテナ共振素子アームは、第１の周波数帯域よりも高い第２の周波数帯域で高周波信号を伝達するように構成されている。
【００９９】
別の実施形態によれば、第１の周波数帯域は、２４００ＭＨｚ〜２５００ＭＨｚの周波数を含み、第２の周波数帯域は、５１５０ＭＨｚ〜５８５０ＭＨｚの周波数を含む。
【０１００】
別の実施形態によれば、電子デバイスは、アンテナ接地と、第２のアンテナ共振素子アームとアンテナ接地の間に結合された第２のアンテナのリターン経路と、を含む。
【０１０１】
別の実施形態によれば、電子デバイスは、第２のアンテナ共振素子アームとアンテナ接地の間のリターン経路に介在されたキャパシタを含む。
【０１０２】
別の実施形態によれば、アンテナ接地は、第２のアンテナ共振素子アームの第１の側部に沿って延びる第１の縁部と、第２のアンテナ共振素子アームの第２の側部に沿って延びる第２の縁部と、を有する。
【０１０３】
別の実施形態では、表示電子デバイスはディスプレイを含み、アンテナ接地はディスプレイの導電性部分を含む。
【０１０４】
別の実施形態によれば、電子デバイスは、第１のアンテナ共振素子アームに結合された追加の正のアンテナフィード端子と、第１のアンテナ共振素子アーム上の所与の位置とアンテナ接地の間に結合された調整可能な構成要素であって、所与の位置は追加の正のアンテナフィード端子と第１の誘電体充填ギャップの間に介在された、調整可能な構成要素と、を含む。
【０１０５】
別の実施形態によれば、電子デバイスは、無線周波数シールドと、無線周波数シールドの下の誘電体基板であって、第２のアンテナ共振素子アームは、誘電体基板上の金属トレースから形成された誘電体基板と、を含む。
【０１０６】
別の実施形態によれば、無線周波数シールドは、アンテナ接地の部分を形成し、調整可能な構成要素は、第１のアンテナ共振素子アーム上の所与の位置と無線周波数シールドの間に結合される。
【０１０７】
別の実施形態によれば、調整可能な構成要素は、所定の位置とアンテナ接地の間のスイッチング回路と直列に結合された少なくとも１つのインダクタを含む。
【０１０８】
一実施形態によれば、アンテナ接地と、対向する第１及び第２の端部を有する第１のアンテナ共振素子アームと、アンテナ接地と、第１のアンテナ共振素子アームに結合された第１のアンテナフィード端子と、アンテナ接地に結合された第２のアンテナフィード端子と、を含む第１のアンテナであって、第１のアンテナは第１の周波数帯域の無線周波数信号を搬送するように構成された、第１のアンテナと、対向する第１及び第２の端部を有する第２のアンテナ共振素子アームと、アンテナ接地と、第２のアンテナ共振素子アームの第１の端部に結合された第３のアンテナフィード端子と、アンテナ接地に結合された第４のアンテナフィード端子と、を含む第２のアンテナであって、第２のアンテナは第２の周波数帯域の無線周波数信号を搬送するように構成されており、第２のアンテナ共振素子アームの第２の端部は、第３のアンテナフィード端子と第１のアンテナ共振素子アームの第１の端部の間に介在された、第２のアンテナと、を含む電子デバイスが提供される。
【０１０９】
別の実施形態によれば、電子デバイスは、導電性周囲筐体構造と、導電性周囲筐体構造の第１の誘電体充填ギャップと、導電性周囲筐体構造の第２の誘電体充填ギャップであって、第１のアンテナ共振素子アームは、第１の誘電体充填ギャップと第２の誘電体充填ギャップの間に延びる導電性周囲筐体構造のセグメントから形成され、第１のアンテナ共振素子アームの第１の端部は第１の誘電体充填ギャップによって画定される、第２の誘電体充填ギャップ、を含む。
【０１１０】
別の実施形態によれば、電子デバイスは、第１のアンテナ共振素子アームとアンテナ接地の間に結合された調整可能な構成要素であって、第１のアンテナフィード端子と第１の誘電体充填ギャップの間に介在された調整可能な構成要素、を含む。
【０１１１】
別の実施形態によれば、電子デバイスは、第２のアンテナ共振素子アームとアンテナ接地の間に結合されたキャパシタを含む。
【０１１２】
一実施形態によれば、電子デバイスは、導電性周囲構造及び導電性周囲構造の第１のセグメントと第２のセグメントの間に延びる平面導電性層を有する筐体と、導電性周囲構造の第３のセグメントから第１のセグメントを分離する、導電性周囲構造の第１の誘電体充填ギャップと、第３のセグメントから第２のセグメントを分離する、導電性周囲構造の第２の誘電体充填ギャップと、導電性周囲構造の少なくとも第３のセグメントから形成された、第１のアンテナ共振素子と、少なくとも導電性周囲構造の平面導電性層並びに第１及び第２のセグメントから形成されたアンテナ接地と、導電性周囲構造の第３のセグメントとアンテナ接地の間に結合された調整可能な構成要素と、誘電体基板と、第２のアンテナ共振素子を形成する誘電体基板上の金属トレースであって、第２のアンテナ共振素子の第１の端部が第１の誘電体充填ギャップと第２のアンテナ共振素子の第２の端部の間に介在された、金属トレースと、を含む。
【０１１３】
別の実施形態によれば、電子デバイスは、ディスプレイパネルと、ディスプレイパネルを支持する導電性ディスプレイフレームと、を含み、導電性ディスプレイフレームはアンテナ接地の部分を形成する。
【０１１４】
別の実施形態によれば、電子デバイスは、誘電体基板と導電性ディスプレイフレームとの間に介在された無線周波数シールドであって、アンテナ接地の部分を形成する無線周波数シールドと、無線周波数シールドと導電性周囲構造の第３のセグメントの間に結合されたフレキシブルプリント回路基板であって、調整可能構成要素は、フレキシブルプリント回路基板上に形成された、フレキシブルプリント回路基板と、を含む。
【０１１５】
別の実施形態によれば、電子デバイスは、無線周波数シールドと導電性ディスプレイフレームの間に介在され、かつ無線周波数シールドを導電性ディスプレイフレームに電気的に接続する導電性構造を含む。
【０１１６】
別の実施形態によれば、電子デバイスは、無線周波数シールドを平面導電性層に電気的に接続する留め具を含む。
【０１１７】
前述は単なる例示であり、当業者は、記載された実施形態の範囲及び精神から逸脱することなく、様々な修正を行うことができる。前述の実施形態は、個々に、又は任意の組み合わせで実施され得る。
【図１】
2019050562.tif 000003
【図２】
2019050562.tif 000004
【図３】
2019050562.tif 000005
【図４】
2019050562.tif 000006
【図５】
2019050562.tif 000007
【図６】
2019050562.tif 000008
【図７】
2019050562.tif 000009
【図８】
2019050562.tif 000010
【図９】
2019050562.tif 000011
【図１０】
2019050562.tif 000012
【外国語明細書】
2019050562000001.pdf